(57)【要約】【課題】玄関等における様々な高さの上がり口に対して、調整ボルトの回転調整といった極めて簡単な構造によって、上がり口と土間との間の高さ位置に無段階でかつ水平に踏台部を設置することができる無段階調整踏台を提供すること。【解決手段】無段階調整踏台１は、土台部２と、土台部２に対する上方に配置された踏台部３と、土台部２及び踏台部３に係合する複数の調整ボルト４とを備えている。踏台部３の上面部３１には、土台部２の各めねじ部２１の上方に対向する位置に露出穴３１１がそれぞれ形成されている。各調整ボルト４の軸部４２の外周には、下面部３２に対して摺動する座板部４４が設けられている。踏台部３は、露出穴３１１を介して頭部４１の係合溝４１１に係合された工具８によって、複数の調整ボルト４が一方向へ回転されることによって下降し、複数の調整ボルト４が他方向へ回転されることによって上昇する。【選択図】図５
2013238065.tif 000002
【特許請求の範囲】
【請求項１】
複数のめねじ部が形成された土台部と、
該土台部に対する上方に配置され、上面部、及び該上面部の下方に対向する下面部を有する踏台部と、
工具が係合される係合溝が設けられた頭部、及び上記各めねじ部に螺合するおねじ部が外周に形成された軸部を有する複数の調整ボルトとを備え、
上記上面部には、上記各めねじ部の上方に対向する位置に露出穴がそれぞれ形成されており、
上記各調整ボルトの上記軸部の外周には、上記下面部に対して摺動する座板部が設けられており、
上記踏台部は、上記露出穴を介して上記頭部の上記係合溝に係合された工具によって、上記複数の調整ボルトが一方向へ回転されることによって下降し、該複数の調整ボルトが他方向へ回転されることによって上昇するよう構成されていることを特徴とする無段階調整踏台。
【請求項２】
請求項１に記載の無段階調整踏台において、上記座板部は、上記下面部を挟持するよう互いに対向して上記軸部に一対に設けられており、かつ、該一対の座板部の間に位置する上記軸部の部分は、上記下面部に形成された切欠部内に配置されていることを特徴とする無段階調整踏台。
【請求項３】
請求項１又は２に記載の無段階調整踏台において、上記土台部の左右には、支柱部が設けられており、該支柱部の上端部には、手摺部が設けられていることを特徴とする無段階調整踏台。
【発明の詳細な説明】
【技術分野】
【０００１】
本発明は、玄関等の上がり口（段差部分）に設置して、上がり口と土間との間の高さに踏台を形成する無段階調整踏台に関する。
【背景技術】
【０００２】
介護が必要になったお年寄り等が、玄関等において土間から上がり口へ上がる際、あるいは上がり口から土間へ降りる際には、段差の高さが歩行の障害になることがある。そこで、上がり口と土間との間の高さに、踏台を設置して、お年寄り等の歩行を楽にすることが行われている。
例えば、特許文献１の玄関への据え付け式段差解消ユニットにおいては、床面と地面との間の高さに踏み板を設置することが開示されている。これにより、床面と地面との間の段差を小さくしている。
また、特許文献２の昇降用リハビリテーション装置においては、上下方向の高さ調節が可能で上面に踊り場を備えた昇降部と、上がり框用台又は階段等の訓練設備を取り替え可能に設置する受け板とを設けることが開示されている。このリハビリテーション装置によれば、昇降部の高さ調整を容易に行うことができる。
【先行技術文献】
【特許文献】
【０００３】
【特許文献１】実用新案登録３０７８２９４号公報
【特許文献２】特開２００６−３４６２３９号公報
【発明の概要】
【発明が解決しようとする課題】
【０００４】
しかしながら、上がり口の高さは玄関等の構造によって様々である。従来の踏台においては、このような様々な高さの上がり口に対し、簡単な構造によって無段階の高さで踏台を設置する工夫はなされていない。また、玄関等の土間には、水はけ勾配が設けられていることが多い。そのため、踏台を土間に設置したときに、踏台の上面が水はけ勾配に沿って傾斜してしまうおそれがある。
【０００５】
本発明は、かかる従来の問題点に鑑みてなされたもので、玄関等における様々な高さの上がり口に対して、調整ボルトの回転調整といった極めて簡単な構造によって、上がり口と土間との間の高さ位置に無段階でかつ水平に踏台部を設置することができる無段階調整踏台を提供しようとして得られたものである。
【課題を解決するための手段】
【０００６】
本発明は、複数のめねじ部が形成された土台部と、
該土台部に対する上方に配置され、上面部、及び該上面部の下方に対向する下面部を有する踏台部と、
工具が係合される係合溝が設けられた頭部、及び上記各めねじ部に螺合するおねじ部が外周に形成された軸部を有する複数の調整ボルトとを備え、
上記上面部には、上記各めねじ部の上方に対向する位置に露出穴がそれぞれ形成されており、
上記各調整ボルトの上記軸部の外周には、上記下面部に対して摺動する座板部が設けられており、
上記踏台部は、上記露出穴を介して上記頭部の上記係合溝に係合された工具によって、上記複数の調整ボルトが一方向へ回転されることによって下降し、該複数の調整ボルトが他方向へ回転されることによって上昇するよう構成されていることを特徴とする無段階調整踏台にある（請求項１）。
【発明の効果】
【０００７】
上記無段階調整踏台は、土台部に対する踏台部の高さ位置を、複数の調整ボルトによって変更可能にしている。また、各調整ボルトの軸部の外周には、下面部と対面して下面部を摺動する座板部が設けられている。
無段階調整踏台を、玄関等の上がり口と土間との間に設置する際には、作業者は、踏台部の上面部に形成された露出穴を介して、調整ボルトにおける頭部の係合溝に、ドライバー等の工具を係合させる。
【０００８】
そして、作業者は、踏台部の高さ位置を低くするときには、工具を一方向へ回転させることによって調整ボルトを一方向へ回転させる。このとき、調整ボルトのおねじ部が土台部のめねじ部に螺合されており、かつ、調整ボルトの座板部が踏台部の下面部に対して摺動することにより、調整ボルトの下降に伴って、この調整ボルトの付近に存在する踏台部の部分が下降する。そして、工具によって調整ボルトの全体を一方向へ回転させることによって、踏台部を下降させて、踏台部を水平な状態にすることができる。
【０００９】
一方、作業者は、踏台部の高さ位置を高くするときには、工具を他方向へ回転させることによって調整ボルトを他方向へ回転させる。このとき、調整ボルトの上昇に伴って、この調整ボルトの付近に存在する踏台部の部分が上昇する。そして、工具によって調整ボルトの全体を他方向へ回転させることによって、踏台部を上昇させて、踏台部を水平な状態にすることができる。
また、土間に水はけ勾配が設けられている場合に、この土間に土台部を設置したときには、踏台部の上面部が水はけ勾配に沿って傾斜してしまうおそれがある。この場合でも、各調整ボルトの調整を行うことにより、土台部に対して踏台部を傾斜させ、踏台部の上面部が上がり口に対して水平になるようにすることができる。
【００１０】
このように、上記無段階調整踏台によれば、玄関等における様々な高さの上がり口に対して、調整ボルトの回転調整といった極めて簡単な構造によって、上がり口と土間との間の高さ位置に無段階（任意）でかつ水平に踏台部を設置することができる。
【図面の簡単な説明】
【００１１】
【図１】実施例にかかる、支柱部の支柱本体部及び手摺部を取り外した状態の無段階調整踏台を示す斜視図。
【図２】実施例にかかる、踏台部を取り外した状態の無段階調整踏台を示す斜視図。
【図３】実施例にかかる、踏台部が下降端にある無段階調整踏台を側方から見た状態で示す断面図。
【図４】実施例にかかる、踏台部が上昇端にある無段階調整踏台を側方から見た状態で示す断面図。
【図５】実施例にかかる、側方から見た土台部及び踏台部を調整ボルトの周辺で拡大して示す断面図。
【図６】実施例にかかる、踏台部と係合する調整ボルトの周辺を示す斜視図。
【図７】実施例にかかる、支柱部の周辺を拡大して示す斜視図。
【発明を実施するための形態】
【００１２】
上述した無段階調整踏台における好ましい実施の形態につき説明する。
上記無段階調整踏台において、上記座板部は、上記下面部を挟持するよう互いに対向して上記軸部に一対に設けられており、かつ、該一対の座板部の間に位置する上記軸部の部分は、上記下面部に形成された切欠部内に配置されていてもよい（請求項２）。
この場合には、一対の座板部によって調整ボルトの上下方向の位置を固定し、複数の調整ボルトの回転調整によって、土台部に対して踏台部を昇降させることができる。
【００１３】
また、上記土台部の左右には、支柱部が設けられており、該支柱部の上端部には、手摺部が設けられていてもよい（請求項３）。
この場合には、手摺部を用いることによって、無段階調整踏台を利用する者の歩行を助けることができる。
【実施例】
【００１４】
以下に、上記無段階調整踏台にかかる実施例につき、図１〜図７を参照して説明する。
図１には、支柱部５の支柱本体部５２及び手摺部６を取り外した状態の無段階調整踏台１を示す。図２には、踏台部３を取り外した状態の無段階調整踏台１を示す。図３には、踏台部３が下降端にある無段階調整踏台１を側方から見た断面で示し、図４には、踏台部３が上昇端にある無段階調整踏台１を側方から見た断面で示す。図５には、側方から見た土台部２及び踏台部３を調整ボルト４の周辺で拡大して示す。図６には、踏台部３と係合する調整ボルト４の周辺を示す。図７には、支柱部５の周辺を拡大して示す。
【００１５】
図１、図５に示すごとく、無段階調整踏台１は、複数のめねじ部２１が形成された土台部２と、土台部２に対する上方に配置された踏台部３と、土台部２及び踏台部３に係合する複数の調整ボルト４とを備えている。踏台部３は、上面部３１と、上面部３１の下方に対向する下面部３２とを有している。各調整ボルト４は、工具８が係合される係合溝４１１が設けられた頭部４１と、各めねじ部２１に螺合するおねじ部４３が外周に形成された軸部４２とを有している。
【００１６】
図３〜図５に示すごとく、踏台部３の上面部３１には、各めねじ部２１の上方に対向する位置に露出穴３１１がそれぞれ形成されている。各調整ボルト４の軸部４２の外周には、下面部３２に対して摺動する座板部４４が設けられている。踏台部３は、露出穴３１１を介して頭部４１の係合溝４１１に係合された工具８によって、複数の調整ボルト４が一方向へ回転されることによって下降し、複数の調整ボルト４が他方向へ回転されることによって上昇するよう構成されている。
【００１７】
以下に、本例の無段階調整踏台１につき詳説する。
図１に示すごとく、無段階調整踏台１は、玄関等の上がり口（床面）７１と、土間（土足面）７２との間の段差を小さくするものである。無段階調整踏台１は、上がり口７１と土間７２との間の高さに、踏台部３の上面部３１を配置して、上がり口７１と土間７２との間に別の踏台を形成する。
【００１８】
図５に示すごとく、踏台部３は、プレートを折り曲げて形成されており、利用者によって踏まれる上面部３１と、上面部３１の下方に対向する下面部３２と、上面部３１と下面部３２とを繋ぐ側面部３３とによって形成されている。下面部３２は、中心部分を除く外側部分に形成されている。
踏台部３の手前側（上がり口７１に対向する奥側の反対側）には、土台部２の手前側と踏台部３の手前側との隙間をなくすための幕板部３４が設けられている。幕板部３４は、踏台部３の奥側（上がり口７１に対向する側）に設けることもできる。そして、土台部２において、幕板部３４と対向する位置には、踏台部３の昇降位置、傾きが視認できるための目盛り、目印等を設けることができる。
【００１９】
図５、図６に示すごとく、本例の座板部４４は、下面部３２を挟持するよう互いに対向して軸部４２に一対に設けられている。本例の一対の座板部４４は、軸部４２に溶接されている。踏台部３の下面部３２には、調整ボルト４を配置するための切欠部３２１が、内側端部から切り欠いて形成されている。この切欠部３２１は、開口付近の部分に対して奥側部分が屈曲して、Ｌ形状に形成されている。
調整ボルト４における、一対の座板部４４の間に位置する軸部４２の部分は、下面部３２に形成された切欠部３２１内に配置されている。調整ボルト４は、切欠部３２１の奥側部分に配置されている。
また、調整ボルト４の軸部４２におけるおねじ部４３が、土台部２におけるめねじ部２１に螺合されていることと、一対の座板部４４によって、踏台部３に対する各調整ボルト４の上下方向の位置が固定されていることとによって、各調整ボルト４を回転させたときに、土台部２に対して踏台部３を昇降させることができる。
【００２０】
図３、図４に示すごとく、調整ボルト４は、土台部２及び踏台部３における４つの角部において、上下方向に向けて設けられている。踏台部３の高さ調整の範囲は、調整ボルト４の長さに応じて行われる。具体的には、踏台部３の高さ調整は、土台部２のめねじ部２１に対する、調整ボルト４の軸部４２のおねじ部４３の螺合が外れない範囲で行うことができる。土台部２は、調整ボルト４の軸部４２が収まる高さで形成されている。また、各調整ボルト４の頭部４１は、踏台部３の上面部３１の上面よりも下方に収納されている。
土台部２におけるめねじ部２１は、土台部２を形成する箱型の板金に対して、内周にめねじが形成されたパイプ、ナット等を溶接することによって形成されている。
【００２１】
図１、図２に示すごとく、土台部２の左右の側部には、支柱部５が設けられており、支柱部５の上端部には、手摺部６が設けられている。土台部２の下面には、土台部２の設置面積を拡大する平板状の座面部２２が設けられている。また、土台部２の奥側には、上がり口７１の正面（側面）に土台部２を固定するための固定用部材２３が設けられている。土台部２は、固定用部材２３に配置するビス２３１によって、上がり口７１の正面に固定することができる（図３、図４参照）。
本例の支柱部５は、座面部２２から立設されている。手摺部６を用いることによって、無段階調整踏台１を利用する者の歩行を助けることができる。支柱部５は、座面部２２に固定された支柱受部５１に対して、手摺部６と一体化された支柱本体部５２を装着して形成されている。支柱受部５１、支柱本体部５２及び手摺部６は、いずれもパイプによって形成されている。
【００２２】
図７に示すごとく、支柱受部５１には、支柱本体部５２の外周を押さえ付けるための押さえ部５１１が形成されている。この押さえ部５１１は、Ｕ字状の貫通穴を形成したことにより、その内側領域において、内周側へ変形可能な部分によって形成されている。
支柱受部５１に支柱本体部５２を差し込むとともに、支柱受部５１の外周に円筒部材５３を配置する。そして、円筒部材５３に螺合させたネジ５４によって、支柱受部５１の押さえ部５１１を支柱本体部５２に押さえ付けることにより、支柱本体部５２を支柱受部５１に固定する。なお、円筒部材５３は、これに螺合する別のネジ５４を締め付けることにより、支柱受部５１に固定することができる。
【００２３】
図５に示すごとく、無段階調整踏台１を、玄関等の上がり口７１と土間７２との間に設置する際には、作業者は、踏台部３の上面部３１に形成された露出穴３１１を介して、調整ボルト４における頭部４１の係合溝４１１に、ドライバー等の工具８を係合させる。
そして、作業者は、踏台部３の高さ位置を低くするときには、工具８を一方向（右方向）へ回転させることによって調整ボルト４を一方向へ回転させる。このとき、調整ボルト４のおねじ部４３が土台部２のめねじ部２１に螺合されており、かつ、調整ボルト４の一対の座板部４４が踏台部３の下面部３２に対して摺動することにより、調整ボルト４の下降に伴って、この調整ボルト４の付近に存在する踏台部３の部分が下降する。そして、工具８によって調整ボルト４の全体を一方向へ回転させることによって、踏台部３を下降させて、踏台部３を上がり口７１に対して水平な状態にすることができる。
【００２４】
一方、作業者は、踏台部３の高さ位置を高くするときには、工具８を他方向（左方向）へ回転させることによって調整ボルト４を他方向へ回転させる。このとき、調整ボルト４の上昇に伴って、この調整ボルト４の付近に存在する踏台部３の部分が上昇する。そして、工具８によって調整ボルト４の全体を他方向へ回転させることによって、踏台部３を上昇させて、踏台部３を上がり口７１に対して水平な状態にすることができる。
また、土間７２に水はけ勾配が設けられている場合に、この土間７２に土台部３を設置したときには、踏台部３の上面部３１が水はけ勾配に沿って傾斜してしまうおそれがある。この場合でも、各調整ボルト４の調整を行うことにより、土台部２に対して踏台部３を傾斜させ、踏台部３の上面部３１が上がり口７１に対して水平になるようにすることができる。
なお、図３は、高さが低い上がり口７１に対して踏台部３を設置した状態を示し、図４は、高さが高い上がり口７１に対して踏台部３を設置した状態を示す。
【００２５】
このように、無段階調整踏台１によれば、玄関等における様々な高さの上がり口７１に対して、調整ボルト４の回転調整といった極めて簡単な構造によって、上がり口７１と土間７２との間の高さ位置に無段階（任意）でかつ水平に踏台部３を設置することができる。
【符号の説明】
【００２６】
１  無段階調整踏台
２  土台部
２１  めねじ部
３  踏台部３
３１  上面部
３１１  露出穴
３２  下面部
４  調整ボルト
４１  頭部
４２  軸部
４３  おねじ部
４４  座板部
７１  上がり口
７２  土間
８  工具
【図１】
2013238065.tif 000003
【図２】
2013238065.tif 000004
【図３】
2013238065.tif 000005
【図４】
2013238065.tif 000006
【図５】
2013238065.tif 000007
【図６】
2013238065.tif 000008
【図７】
2013238065.tif 000009